(57)【要約】【課題】配管継手の取付け強度を、簡易な構成によって適切に高めることが可能な温水機器ユニットにおける配管継手取付け構造を提供する。【解決手段】温水機器ユニットにおける配管継手取付け構造Ｃａは、外装ケース３の壁部３０のうち、配管用の開口部３１の周縁部に、切り起こし状の起立片３２が形成され、かつこの起立片３２に配管継手４Ａが締結部材７１を用いて締結された構成である。【選択図】  図３
2018031525.tif 000002
【特許請求の範囲】
【請求項１】
温水機器およびこれに付属する内部配管を収容する外装ケースと、
この外装ケースの壁部に設けられた配管用の開口部に挿入または隣接した状態で前記壁部に取付けられ、かつ前記内部配管を前記外装ケースの外部に位置する外部配管に接続するのに用いられる配管継手と、
を備えている、温水機器ユニットにおける配管継手取付け構造であって、
前記外装ケースの前記壁部のうち、前記開口部の周縁部には、切り起こし状の起立片が形成されており、かつこの起立片に前記配管継手が第１の締結部材を用いて締結されていることを特徴とする、温水機器ユニットにおける配管継手取付け構造。
【請求項２】
請求項１に記載の温水機器ユニットにおける配管継手取付け構造であって、
前記配管継手には、前記開口部を塞ぐようにして前記外装ケースの前記壁部に当接し、かつ前記壁部に第２の締結部材を用いて締結されるフランジ部が設けられており、
前記配管継手に対する前記第１および第２の締結部材のそれぞれの締結方向は、互いに交差する方向である、温水機器ユニットにおける配管継手取付け構造。
【請求項３】
請求項１または２に記載の温水機器ユニットにおける配管継手取付け構造であって、
前記配管継手には、前記配管継手とは別体で構成された機能部材が挿入される孔部が設けられており、
前記第１の締結部材は、前記機能部材に当接することにより前記機能部材が前記孔部から抜け出ることを規制することが可能に前記起立片から前記機能部材寄りにはみ出したはみ出し部を有している、温水機器ユニットにおける配管継手取付け構造。
【請求項４】
請求項１ないし３のいずれかに記載の温水機器ユニットにおける配管継手取付け構造であって、
前記開口部の周縁部のうち、前記起立片の形成位置とは異なる位置には、前記第１の締結部材の締結方向とは交差する方向において前記配管継手に当接可能な切り起こし状の追加の起立片が形成されている、温水機器ユニットにおける配管継手取付け構造。
【請求項５】
請求項１ないし４のいずれかに記載の温水機器ユニットにおける配管継手取付け構造を備えていることを特徴とする、温水機器ユニット。
【発明の詳細な説明】
【技術分野】
【０００１】
本発明は、給湯器ユニットや貯湯タンクユニットなどの温水機器ユニットにおける配管継手取付け構造、および温水機器ユニットに関する。
【背景技術】
【０００２】
温水機器ユニットにおける配管継手取付け構造の具体例として、特許文献１，２に記載の構造がある。
これらの文献に記載された構造においては、温水機器を収容した外装ケースの側壁部または底壁部に、配管用の開口部が設けられ、かつこの開口部に対向接近するようにして配管継手が取付けられている。温水機器に付属し、かつ外装ケース内に位置する湯水流通用の内部配管、および外装ケースの外部に位置する湯水流通用の外部配管は、前記配管継手にそれぞれ接続されている。
このような構成によれば、外装ケースに取付けられた配管継手を利用して、内部配管と外部配管とを適切に接続することが可能である。
【０００３】
しかしながら、前記従来技術においては、次に述べるように、未だ改善すべき余地がある。
【０００４】
すなわち、従来においては、配管継手を外装ケースの側壁部または底壁部に取付けるための手段として、ビスなどのネジ体を利用し、配管継手の複数箇所をネジ止めする手段が採用されている。ただし、それら複数のネジ止め箇所におけるネジ締め付け方向は、全て同一方向である。これでは、ネジ締め付け方向における配管継手の取付け強度は大きくできるものの、それとは交差する方向における取付け強度がやや劣るものとなり、内部配管や外部配管を取り廻す際に配管継手の取付け強度に不安などを生じる虞がある。これを解消するには、ネジ止め箇所の数を多くする必要があるが、そうすると配管継手の取付け作業が煩雑となる。
【先行技術文献】
【特許文献】
【０００５】
【特許文献１】実開平２−７０１５８号公報
【特許文献２】特開平９−２９６９５７号公報
【発明の概要】
【発明が解決しようとする課題】
【０００６】
本発明は、前記したような事情のもとで考え出されたものであり、配管継手の取付け強度を、簡易な構成によって適切に高めることが可能な温水機器ユニットにおける配管継手取付け構造、および温水機器ユニットを提供することを、その課題としている。
【課題を解決するための手段】
【０００７】
上記の課題を解決するため、本発明では、次の技術的手段を講じている。
【０００８】
本発明の第１の側面により提供される温水機器ユニットにおける配管継手取付け構造は、温水機器およびこれに付属する内部配管を収容する外装ケースと、この外装ケースの壁部に設けられた配管用の開口部に挿入または隣接した状態で前記壁部に取付けられ、かつ前記内部配管を前記外装ケースの外部に位置する外部配管に接続するのに用いられる配管継手と、を備えている、温水機器ユニットにおける配管継手取付け構造であって、前記外装ケースの前記壁部のうち、前記開口部の周縁部には、切り起こし状の起立片が形成され
ており、かつこの起立片に前記配管継手が第１の締結部材を用いて締結されていることを特徴としている。
【０００９】
このような構成によれば、次のような効果が得られる。
まず、第１の締結部材によって配管継手を起立片に締結するため、この締結方向における配管継手の取付け強度を高めることができる。このため、配管継手をただ単に外装ケースの壁部に当接させてネジ止めさせていただけの従来技術と比較すると、配管継手のトータル的な取付け強度を効果的に高めることが可能となり、内部配管や外部配管を取り廻す際に、配管継手の取付け強度に不安を生じるといったことも適切に解消することが可能となる。本発明によれば、配管継手のネジ止め箇所の数を多くするといった必要をなくしつつ、配管継手の取付け強度を高めることが可能である。
また、配管継手の壁部に設けられる起立片は、外装ケースの壁部にいわゆる切り起こし加工を施すことによって形成することが可能であり、別部品などを用いて形成する必要はない。したがって、部品点数の増加などもなくし、製造コストを廉価にすることが可能である。
【００１０】
本発明において、好ましくは、前記配管継手には、前記開口部を塞ぐようにして前記外装ケースの前記壁部に当接し、かつ前記壁部に第２の締結部材を用いて締結されるフランジ部が設けられており、前記配管継手に対する前記第１および第２の締結部材のそれぞれの締結方向は、互いに交差する方向である。
【００１１】
このような構成によれば、第１および第２の締結部材により、配管継手の取付け強度をより効果的に高めることができる。第２の締結部材を用いた締結箇所の数を余り多くする必要もない。
【００１２】
本発明において、好ましくは、前記配管継手には、前記配管継手とは別体で構成された機能部材が挿入される孔部が設けられており、前記第１の締結部材は、前記機能部材に当接することにより前記機能部材が前記孔部から抜け出ることを規制することが可能に前記起立片から前記機能部材寄りにはみ出したはみ出し部を有している。
【００１３】
このような構成によれば、配管継手の取付けに利用されている第１の締結部材が、機能部材の取付けにも利用されているため、その構成は合理的であり、機能部材を取付けるための専用部品を無くし、または少なくすることができる。
【００１４】
本発明において、好ましくは、前記開口部の周縁部のうち、前記起立片の形成位置とは異なる位置には、前記第１の締結部材の締結方向とは交差する方向において前記配管継手に当接可能な切り起こし状の追加の起立片が形成されている。
【００１５】
このような構成によれば、追加の起立片を利用することにより、第１の締結部材の締結方向とは交差する方向における配管継手の位置決め、あるいは位置ずれ防止固定を簡易かつ適切に図ることができる。したがって、配管継手の取付けに対する信頼性を高める上で一層有効である。
【００１６】
本発明の第２の側面により提供される温水機器ユニットは、本発明の第１の側面により提供される温水機器ユニットにおける配管継手取付け構造を備えていることを特徴としている。
【００１７】
このような構成によれば、本発明の第１の側面により提供される温水機器ユニットにおける配管継手取付け構造について述べたのと同様な効果が得られる。
【００１８】
本発明のその他の特徴および利点は、添付図面を参照して以下に行なう発明の実施の形態の説明から、より明らかになるであろう。
【図面の簡単な説明】
【００１９】
【図１】本発明に係る温水機器ユニットの一例を模式的に示す説明図である。
【図２】図１に示す温水機器ユニットの一部破断斜視図である。
【図３】図２の分解斜視図である。
【図４】図２のIV−IV断面図である。
【図５】本発明の他の例を示す一部断面要部側面図である。
【発明を実施するための形態】
【００２０】
以下、本発明の好ましい実施の形態について、図面を参照して具体的に説明する。
【００２１】
図１に示す温水機器ユニットＵは、給湯器ユニットであり、バーナ１０と熱交換器１１とが組み合わされた温水機器１（温水生成機器）、この温水機器１に付属する湯水流通用の内部配管２ａ〜２ｃ、これら全体を内部に収容する外装ケース３、および湯水流通用の配管継手４Ａ，４Ｂを含む配管継手取付け構造Ｃａ，Ｃｂを備えている。配管継手４Ａ，４Ｂの下部には、外部配管としての給水管５ａおよび出湯管５ｂが接続される。
【００２２】
外装ケース３は、たとえば略直方体状であり、その前面部は、不図示のフロントカバーによって開閉される開口部とされている。本実施形態では、配管継手４Ａ，４Ｂが外装ケース３の底壁部３０に取付けられており、この底壁部３０は、本発明でいう外装ケースの「壁部」の一例に相当する。
【００２３】
温水機器１は、バーナ１０により発生された燃焼ガスから熱交換器１１の伝熱管１１ａを利用して熱回収を行なうことにより、伝熱管１１ａ内の湯水を加熱可能である。伝熱管１１ａの入水側には、配管継手４Ａの上部に接続された内部配管２ａ，２ｃが接続されており、給水管５ａから供給される湯水を伝熱管１１ａに送り込むことが可能である。伝熱管１１ａの出湯側には、配管継手４Ｂの上部に接続された内部配管２ｂが接続されており、伝熱管１１ａ内において加熱された湯水を出湯管５ｂに送り込み、所定の給湯先に供給することが可能である。
なお、バーナ１０に燃料ガスを供給するための手段として、ガス管としての内部配管１３、外部配管１４、およびこれらを接続するガス管用の配管継手１５を備えており、この配管継手１５も、外装ケース３の底壁部３０に取付けられている。
【００２４】
図２〜図４は、配管継手取付け構造Ｃａの詳細を示している。なお、配管継手取付け構造Ｃｂは、配管継手取付け構造Ｃａと実質的に同一の構成である。したがって、配管継手取付け構造Ｃｂについての説明は省略する。
【００２５】
図２および図３によく表われているように、配管継手４Ａは、既述した内部配管２ａおよび給水管５ａを接続するための第１および第２の継手部４０ａ，４０ｂを具備することに加えて、それら第１および第２の継手部４０ａ，４０ｂの中間位置に設けられたフィルタ装着部４１、ならびにフィルタ装着部４１の上側に位置するフランジ部４２を備えている。さらには、フランジ部４２の上面側において管体部４３の一側面からその側方に膨出した膨出部４４、この膨出部４４に形成されたネジ孔４５、および凍結防止用ヒータ６の取付け用の孔部４６も備えている。凍結防止用ヒータ６は、本発明でいう「機能部材」の一例に相当する。
【００２６】
配管継手取付け構造Ｃａは、外装ケース３の底壁部３０に設けられた配管用の開口部３１、起立片３２、追加の起立片３３を備えている。配管継手４Ａは、開口部３１内にその
下方から挿入され、フランジ部４２が開口部３１を塞ぐように設定された状態で底壁部３０にネジ止めされている。このネジ止めは、フランジ部４２に設けられている切欠き状または非切欠き状の複数のネジ体挿通用の孔部４２ａに、その下方から挿通するネジ体７２を利用して行なわれている。ネジ体７２は、本発明でいう「第２の締結部材」の具体例に相当する。底壁部３０には、ネジ体７２が螺合する複数（たとえば、３つ）のネジ孔３４が設けられている。
【００２７】
起立片３２は、いわゆる切り起こし加工によって開口部３１の周縁部から上向きに起立するように形成されたものであり、底壁部３０に一体形成されている。この起立片３２は、配管継手４Ａの膨出部４４の側面４４ａに接触し、かつ膨出部４４とのネジ止めが図られている。このネジ止めは、起立片３２に設けられたネジ体挿通用の孔部３２ａに、その手前側からネジ体７１を挿通し、かつネジ孔４５に螺合させることにより行なわれている。ネジ体７１は、本発明でいう「第１の締結部材」の具体例に相当する。好ましくは、起立片３２は、配管継手４Ａよりも外装ケース３の前面側に位置しており、ネジ体７１の締め付け作業を外装ケース３の前面開口部側から行なうことが可能とされている。ネジ体７２によるネジ止め方向は上下高さ方向であるのに対し、ネジ体７１によるネジ止め方向は略水平方向であり、これらは互いに交差する方向となっている。好ましくは、膨出部４４の側面４４ａは、起立片３２との面接触が可能な平面状である。
【００２８】
図４に示すように、ネジ体７１の頭部の一部は、起立片３２の一側方に、適当な寸法Ｌだけはみ出したはみ出し部７１ａとなっている。このはみ出し部７１ａは、孔部４６に挿入された凍結防止用ヒータ６の頭部に対向接近または対向接触しており、凍結防止用ヒータ６が孔部４６から抜け出ることを規制する。なお、起立片３２は、孔部４６に凍結防止用ヒータ６を挿脱する際の支障にならないように、凍結防止用ヒータ６とは干渉しない配置とされている。
【００２９】
追加の起立片３３は、開口部３１の周縁部のうち、配管継手４Ａの膨出部４４の側面４４ｂに対向接触可能な位置に設けられており、起立片３２と同様に、いわゆる切り起こし加工によって底壁部３０に一体形成されている。この追加の起立片３３と起立片３２との向きは、略９０度の角度で相違している。追加の起立片３３と配管継手４Ａとのネジ止めは図られていない。ただし、これらをネジ止めしてもよい。
【００３０】
次に、前記した配管継手取付け構造Ｃａの作用について説明する。
【００３１】
まず、配管継手４Ａは、ネジ体７２を用いて底壁部３０に対して上下方向において締結されていることに加え、ネジ体７１を用いて起立片３２に対して略水平方向においても締結されている。したがって、略水平方向の負荷に対する配管継手４Ａの取付け強度が効果的に高められることとなり、配管継手４Ａに接続される内部配管２ａや給水管５ａを取り廻すような際に、配管継手４Ａの取付け状態に不安を生じないようにすることが可能である。本実施形態では、配管継手４Ａの取付けに際し、底壁部３０へのネジ止めに計３つのネジ体７２が用いられ、かつ起立片３２へのネジ止めに１つのネジ体７１が用いられているが、この構造は、それと同数のネジ体を用いて配管継手４Ａをただ単に底壁部３０にネジ止めする構造と比較すると、配管継手４Ａの取付け強度がかなり高いものとなる。
【００３２】
追加の起立片３３は、配管継手４Ａのネジ止めには利用されていないものの、ネジ体７１による起立片３２と配管継手４Ａとの締結方向とは交差する方向において、配管継手４Ａの位置決めを図る役割を果たす。したがって、配管継手４Ａの取付け状態を、より安定的なものとし、信頼の置けるものとすることができる。
【００３３】
ネジ体７１のはみ出し部７１ａは、既述したように、凍結防止用ヒータ６の抜け止めを
図る役割を果たしており、凍結防止用ヒータ６を固定するための専用の部品および作業は不要である。したがって、このような合理化により、製造コストの削減を図ることが可能となる。なお、起立片３２および追加の起立片３３は、外装ケース３の底壁部３０に開口部３１を設ける際のプレス加工作業時に形成することができ、その形成は比較的容易である。それらは、底壁部３０とは別部材を用いて形成されたものではないため、その形成コストも廉価である。また、起立片３２と配管継手４Ａとのネジ止めは、外装ケース３の前面開口部側から行なうことができるため、その作業は容易であり、配管継手４Ａの組み付け作業性を一層よくすることが可能である。
【００３４】
図５は、本発明の他の実施形態を示している。前記実施形態と同一または類似の要素には、前記実施形態と同一の符号を付すこととし、その重複説明は省略する。
【００３５】
図５に示す実施形態においては、配管継手４Ａに連設された膨出部４４の側面４４ｂは、下向き面状の傾斜面４４ｃを含んでいる。追加の起立片３３は、この傾斜面４４ｃの下方において起立し、かつその先端部（上端部）は、傾斜面４４ｃに当接している。
このような構成によれば、追加の起立片３３は、配管継手４Ａが、矢印Ｎａで示す方向の力を受ける作用を発揮する他、配管継手４Ａに作用する回転モーメントＭを受ける作用も発揮する。給水管５ａの取り廻し時などにおいては、配管継手４Ａの下部に略水平方向の力Ｆが作用する場合があり、その際には同図に示す回転モーメントＭが発生し得る。これに対し、この回転モーメントＭは、傾斜面４４ｃに当接する追加の起立片３３によって受けることができる。したがって、本実施形態によれば、前記した回転モーメントＭを発生させる力Ｆに対する取付け強度も向上する。
本実施形態から理解されるように、追加の起立片３３を配管継手４Ａに当接させる場合、これらを種々の態様で当接させることが可能である。
【００３６】
本発明は、上述した実施形態の内容に限定されない。本発明に係る温水機器ユニットにおける配管継手取付け構造、および温水機器ユニットの各部の具体的な構成は、本発明の意図する範囲内において種々に設計変更自在である。
【００３７】
本発明でいう起立片は、１つの開口部の周縁部に複数設けた構成とすることも可能である。起立片は、外装ケース内に位置するように設けることが好ましいが、外装ケースの外部に向けて突出する形態（たとえば、外装ケースの底壁部から下向きに突出した形態）に設けるようなことも可能である。
【００３８】
上述の実施形態においては、配管継手４Ａを底壁部３０に設けられた配管用の開口部３１内に挿入させているが、配管継手４Ａは必ずしも開口部３１に挿入されなくてもよい。たとえば、配管継手を底壁部上に取付け、かつ外部配管を底壁部に設けられた開口部に挿通させることによって前記配管継手に接続するといったことも可能である。
【００３９】
上述の実施形態においては、配管継手４Ａが外装ケース３の底壁部３０に取付けられているが、配管継手４Ａが取付けられる外装ケース３の壁部は、底壁部３０に限定されない。たとえば、特許文献１と同様に、外装ケースの側壁部に取付けた構成とすることもできる。勿論、底壁部や側壁部以外の壁部に取付けた構成とすることも可能である。
【００４０】
配管継手に接続される内部配管や外部配管は、湯水流通用の配管に限定されず、湯水以外の流体を流通させる配管であってもよい。たとえば、上述の実施形態で示したガス管用の配管継手１５を外装ケース３に取付けるための手段として、本発明を適用することも可能である。
【００４１】
本発明でいう機能部材は、凍結防止用ヒータに限らない。たとえば、流体の温度や流量
などを検出するためのセンサとすることもできる。締結部材は、ビスなどのネジ体に限らず、リベットやその他のカシメ部材なども含む。
【００４２】
本発明でいう温水機器は、温水生成機能、および温水貯留機能の少なくとも一方の機能を有する機器である。この温水機器としては、上述した実施形態のように、燃焼器と伝熱管を備えた熱交換器とが組み合わされた温水生成機器以外として、たとえば湯水加熱を行なうヒートポンプ、コージェネレーションシステム機器、あるいはヒートポンプやコージェネレーションシステム機器などによって加熱生成された温水を貯留するための貯湯タンクなどを適用することができる。したがって、本発明に係る温水機器ユニットは、具体的には、給湯器ユニット、ヒートポンプユニット、コージェネレーションシステムユニット、あるいは貯湯タンクユニットなどとして構成することができる。
【符号の説明】
【００４３】
Ｕ  温水機器ユニット
Ｃａ，Ｃｂ  配管継手取付け構造
１  温水機器
２ａ〜２ｃ  内部配管
３  外装ケース
３０  底壁部（外装ケースの壁部）
３１  開口部
３２  起立片
３３  追加の起立片
４Ａ，４Ｂ  配管継手
５ａ  給水管（外部配管）
５ｂ  出湯管（外部配管）
６  凍結防止用ヒータ（機能部材）
７１  ネジ体（第１の締結部材）
７１ａ  はみ出し部
７２  ネジ体（第２の締結部材）
【図１】
2018031525.tif 000003
【図２】
2018031525.tif 000004
【図３】
2018031525.tif 000005
【図４】
2018031525.tif 000006
【図５】
2018031525.tif 000007